(57)【要約】【課題】重量感や違和感がなく、生え際も自然な美しい日本髪を安価に実現できるようにする。【解決手段】  日本髪の髷以外の部分を地髪で結った髪に装着する髷ユニット１０であり、髷の主体をなす頭髪状の髷本体１１と、該髷本体１１を支持する剛性のある支持部である根１２と、その根１２の下部に固定され、地髪を係止してこの髷ユニットを髷以外の部分を地髪で結った髪上に係止させる係止具２０とを備えている。その係止具２０が根の下部に固定されて前方へ延びる固定枠２１と、その固定枠２１の下側に設けられた櫛歯状係止部材２２とを有する。【選択図】        図１
2009215675.tif 000002
【特許請求の範囲】
【請求項１】
日本髪の髷以外の部分を地髪で結った髪に装着する髷ユニットであって、
髷の主体をなす頭髪状の髷本体と、該髷本体を支持する剛性のある支持部と、該支持部の下部に固定され、地髪を係止してこの髷ユニットを前記髷以外の部分を地髪で結った髪上に係止させる係止具とを備え、
該係止具が前記根の下部に固定されて前方へ延びる固定枠と、該固定枠の下側に設けられた櫛歯状係止部材とを有することを特徴とする髷ユニット。
【請求項２】
前記支持部が、髪を柱状に束ねた形状で剛性のある根であり、
前記髷本体が、該根の下部から前方に延びた髪束が湾曲して立ち上って後方へ折り返し、その後端部が前記根の上部に保持された形状の高島田用の髷本体であることを特徴とする請求項１に記載の髷ユニット。
【請求項３】
前記櫛歯状係止部材が、前記固定枠の下面に対して所定角度まで回動可能であり、櫛歯状に延びた各部がその回動方向に弾性変形可能であることを特徴とする請求項１又は２に記載の髷ユニット。 
【請求項４】
前記櫛歯状係止部材が、前記固定枠の前部に回動可能に設けられた軸部から前記固定枠の下側で後方に延びる回動部材であり、
前記係止具にはさらに、前記軸部に基部が固着されて自由端部が前記根と前記髷本体との間に形成された空間内に延びるレバーと、該レバーを前記櫛歯状係止部材が前記固定枠に当接する方向に回動付勢する付勢部材とが設けられたことを特徴とする請求項２に記載の髷ユニット。
【請求項５】
前記髷本体は、前記根とその上部に固定された樹脂製の髷パットの外周に沿って頭髪材を接着被覆するとともに、前記髷パットの先端部と前記根の下部との間にも頭髪材を薄く広げて係着していることを特徴とする請求項２又は４に記載の髷ユニット。
【請求項６】
前記髷本体は、前記根と一体に樹脂によって成形され、少なくともその外表面から所定深さまでは成形後に柔軟性を有する材料で髪の櫛目まで一体に成形により形成され、その表面は頭髪材と同等な色に着色されていることを特徴とする請求項１から４のいずれか一項に記載の髷ユニット。
【請求項７】
前記成形後に柔軟性を有する材料はウレタン樹脂であることを特徴とする請求項６に記載の日本髪かつら。
【請求項８】
前記係止具の固定枠は、その前端中央部に櫛を保持するための櫛保持部材を突設していることを特徴とする請求項１から７のいずれか一項に記載の髷ユニット。
【請求項９】
前記係止具の固定枠は、その前端部の両側部に前方に向って互いの間隔を拡げるように延び、各先端部に前差しを差し込ませて保持する環状保持部を有する前差し保持部材を設けたことを特徴とする請求項１から８のいずれか一項に記載の髷ユニット。
【請求項１０】
前記各前差し保持部材は、その先端部が上下動可能になるように、前記係止具の固定枠に回動可能に取り付けられていることを特徴とする請求項９に記載の髷ユニット。
【請求項１１】
請求項２、４、５のいずれか一項に記載の髷ユニットにおいて、
前記根の前側にＬ型金具の一片が、中差しを係止する中差し係止部材と共に固着され、該L型金具の前記一片の下端から前方へ折れ曲った他片に、前記係止具の固定枠が固着されたことを特徴とする髷ユニット。
【請求項１２】
請求項２、４、５、１１のいずれか一項に記載の髷ユニットにおいて、
前記根の下部に櫛歯状の髱抑え部材が弾性を持って回動可能に設けられたことを特徴とする髷ユニット
【請求項１３】
前記櫛歯状の髱抑え部材は、弾性を有する一本の金属線を複数回折り曲げ及び捩って各櫛歯片が連続して形成され、その各櫛歯片の基部が一本のロッドに固定され、該ロッドがゴム紐によって前記前記根の下部に取り付けられたことを特徴とする請求項１２に記載の髷ユニット。
【発明の詳細な説明】
【技術分野】
【０００１】
この発明は、結婚式における花嫁などが、日本髪の髷部以外の部分を地髪で結った後、髷だけを装着することによってして、文金高島田のような美しい日本髪を容易に完成できるようにするためのる髷ユニットに関する。
【背景技術】
【０００２】
従来、和装の花嫁などが日本髪にする場合は、本人の地髪で結いあげるか、日本髪かつらをを装着することになる。地髪で結いあげるには、長くて豊かな髪が必要であるが、普段は洋装をしている現代では日本髪を結える程の豊かな髪を持っている女性は少ないし、時間的な制約もあるため、和装花嫁の殆どが日本髪かつらをを使用するようになっている。
【０００３】
日本髪かつらは、地髪で結いあげる日本髪と同様に種々んも髪型があるが、高島田が最も一般的である。その高島田の日本髪かつらとしては、例えば特許文献１に記載されているように、頭部に沿う形状に形成した台枠（かつら枠）に、前髪（まえがみ）、左右の鬢（びん）、後部上方の髷（まげ）、その下から襟首近くまで垂れ下がる髱（たぼ）等を取付けて構成され、着用者の頭部に装着しやすいように作られている。髷はその内部の髷パットを一体とする根によって台金上に支持されている。
【０００４】
そして、このような日本髪かつらを使用する場合にも、地髪で日本髪を結った場合と同様に種々の髪飾りや笄類を装着して美しく飾るのが通例である。
その一つとして、髷と根によって形成される空間に細長い中差しを通して、その中間部を根の前面に固着して装着し、その中差しの両端部に飾り部材を取付ける。その他に、前差しや後差し等も装着するが、それらを総称して笄(こうがい)ともいう。前髪の後部の髷の直前には大きな飾り櫛を差す。
【特許文献１】特公平７−９１６８２号公報
【発明の開示】
【発明が解決しようとする課題】
【０００５】
しかしながら、このような従来の日本髪かつらは、上述したようにかつら枠に髱、鬢、前髪、髷に対応させて分け取りした髪をそれぞれ取り付け、それを熟練した結髪師が形の美しい日本髪になるように手作業で結いあげていたので、かつらとして完成させるまでには大変な労力を要し、コスト的にも高価なものになってしまうということがあった。
また、最近の日本髪かつらはかなり軽量化されてはいるが、笄類なども装着すると全体としてはかなり重く感じられることになる。さらに、金属性の台枠をかぶることになるので、着用者の頭の形状にに完全にフィットさせるのが難しく、多少違和感が生じることもある。さらにまた、前髪と左右の鬢の生え際が、地毛ではないのでよく見ると若干不自然に感じられるという課題もある。
【０００６】
この発明は、これらの課題を解決するためになされたもにであり、ある程度充分な地髪を持っている花嫁などの日本髪希望者には、日本髪の髷部以外の部分を地髪で結った後、髷だけを装着することによって、重量感や違和感がなく、生え際も自然な美しい日本髪を安価に実現できるようにすることを目的とする。
【課題を解決するための手段】
【０００７】
この発明は上記の目的を達成するため、日本髪の髷以外の部分を地髪で結った髪に装着する髷ユニットであって、髷の主体をなす頭髪状の髷本体と、その髷本体を支持する剛性のある支持部と、その支持部の下部に固定され、地髪を係止してこの髷ユニットを上記髷以外の部分を地髪で結った髪上に係止させる係止具とを備えており、その係止具は、上記根の下部に固定されて前方へ延びる固定枠と、その固定枠の下側に設けられた櫛歯状係止部材とを有する。
【０００８】
高島田用の髷ユニットの場合は、上記支持部が髪を柱状に束ねた形状で剛性のある根であり、上記髷本体が、上記根の下部から前方に延びた髪束が湾曲して立ち上って後方へ折り返し、その後端部が上記根の上部に保持された形状の高島田用の髷本体である。
上記櫛歯状係止部材が、上記固定枠の下面に対して所定角度まで回動可能であり、櫛歯状に延びた各部がその回動方向に弾性変形可能であるのが望ましい。
【０００９】
高島田用の髷ユニットの場合は、上記櫛歯状係止部材が、上記固定枠の前部に回動可能に設けられた軸部から前記固定枠の下側で後方に延びる回動部材であり、上記係止具にはさらに、上記軸部に基部が固着されて自由端部が上記根と髷本体との間に形成された空間内に延びるレバーと、そのレバーを上記櫛歯状部材が上記固定枠に当接する方向に付勢する付勢部材とを設けると、着脱時の操作性が大幅に向上する。
【００１０】
上記髷本体は、上記根とその上部に固定された樹脂製の髷パットの外周に沿って頭髪材を接着被覆するとともに、上記髷パットの先端部と上記根の下部との間にも頭髪材を薄く広げて係着しているものでもよい。
あるいは、上記髷本体を上記根と一体に樹脂によって成形し、少なくともその外表面から所定深さまでは成形後に柔軟性を有する材料で髪の櫛目まで一体に成形により形成し、その表面は頭髪材と同等な色に着色したものでもよい。その場合の成形後に柔軟性を有する材料はウレタン樹脂であるとよい。
【００１１】
上記係止具の固定枠が、その前端中央部に櫛を保持するための櫛保持部材を突設していると、飾り櫛を確実に保持できて便利である。
前記係止具の固定枠が、その前端部の両側部に前方に向って互いの間隔を拡げるように延び、各先端部に前差しを差し込ませて保持する環状保持部を有する前差し保持部材を設けていると、前差しを簡単且つ確実に挿着できて便利である。
その場合、各前差し保持部材が、その先端部が上下動可能になるように、上記係止具の固定枠に回動可能に取り付けられていると、前差しの挿着と位置調整は一層容易になる。
【００１２】
上記根の前側にＬ型金具の一片が、中差しを係止する中差し係止部材と共に固着され、そのL型金具の上記一片の下端から前方へ折れ曲った他片に、上記係止具の固定枠が固着されていると、固定枠が確実に固定されるとともに、中差しの着脱は容易になる。
【００１３】
上記根の下部に櫛歯状の髱抑え部材が弾性を持って回動可能に設けられていると、その髱抑え部材によって髱の上部を抑え、髷ユニットの位置がずれるのを防止できる。
その櫛歯状の髱抑え部材は、弾性を有する一本の金属線を複数回折り曲げ及び捩って各櫛歯片を連続して形成し、その各櫛歯片の基部を一本のロッドに固定し、そのロッドをゴム紐によって上記根の下部に取り付けるようにすることができる。
【発明の効果】
【００１４】
この発明による髷ユニットを使用すれば、ある程度充分な地髪を持っている花嫁などの日本髪希望者は、日本髪の髷部以外の部分を地髪で結った後、この髷ユニットを装着することによって、重量感や違和感がなく、生え際も自然な美しい日本髪を安価に実現することができる。
【発明を実施するための最良の形態】
【００１５】
以下、この発明を実施するための最良の形態を図面に基づいて説明する。
図１乃至図図５はこの発明による日本髪用の髷ユニットの一実施例に関する図であり、図１は、その髷ユニットの髷本体に頭髪材を被着する前の状態を根の下部だけを断面にして示す側面図であり、図２は係止具を下方から見た斜視図である。図３は髷ユニットの完成状態を示す側面図、図４は根の前側にL型金具の一片が固着された状態を示す底面図、図５は櫛歯状の髱抑え部材の後方から見た斜視図である。
【００１６】
この実施例の髷ユニット１０は、高島田の髷以外の部分を地髪で結った髪に装着する髷ユニットであって、図１および図３に示すように、髷の主体をなす頭髪状の髷本体１１と、その髷本体１１を支持する剛性のある支持部である根１２と、その根１２の下部に固定され、地髪を係止してこの髷ユニットを上記髷以外の部分を地髪で結った髪上に係止させる係止具２０とを備えている。その係止具２０は、根１２の下部に固定されて前方へ延びる固定枠２１と、その固定枠２１の下側に設けられた櫛歯状係止部材２２とを有する。
【００１７】
その支持部である根１２は、図４に示すように前面側が平坦になった剛性のある樹脂製の筒状体１２aの内部に発砲スチロール１２ｂが充填され、外周面には図３に示すように頭髪材１６が上下方向にほぼ整列して糊で接着被覆されている。それによって、髪を柱状に束ねた形状をなし剛性を有している。
さらに、この根１２の筒状体１２a内の下部には帯状の金属片の両端部が上方にほぼ直角に折り曲げられた係止具支持金具１３が、図４に示すように両側部間に橋状に固定されており、その中央部に雌ねじが形成されたねじ孔１３aが設けられている。
【００１８】
また、この根１２の前側の面に、図１に示すＬ型金具１４の一片（垂直片）が、中差しを係止する中差し係止部材１５と共に固着され、そのL型金具１４の一片の下端から前方へ折れ曲った他片（水平片）に、図４に示すように前後方向に長い長孔１４ａが形成されている。中差し係止部材１５は、バネ性を有する金属片を折り曲げて作られており、Ｕ字状に開口した部分に中差しを挿入して挟持させる。したがって中差しの着脱が容易である。
【００１９】
髷本体１１は図３に示すように、根１２の下部から前方に延びた髪束が湾曲（前側に膨出）して立ち上って後方へ折り返し、その後端部（再び前方へ少し折り返したような形状になっている）が根１２の上部に保持された形状の高島田用の髷本体である。
この実施例の髷本体１１は、図１に示す根１２とその上部に固定された樹脂製の髷パット１６の外周に沿って、図３に示すように頭髪材を糊で接着被覆するとともに、髷パット１６の図１に仮想線で示す先端部と根１２の下部との間にも頭髪材１７を薄く扇型に広げて係着している。この髷本体１１は前側に向かって幅が広くなり、前側下部（髷パット１６の先端部）は、正面から見ると幅方向の中央部が上方に湾曲したアーチ状になっている。
頭髪材１７は人の長い髪を切ったものが自然であるが、近年では量産性と耐久性および清潔性などの点で合成繊維等から作られる人造頭髪材を主に使用する。
【００２０】
係止具２０の固定枠２１は図２に示すように、一対の側片２１ａ，２１ｂと、その後端部間に固定された後端片２１ｃと、前端部間に固定された前端片２１ｄと、中間の２箇所をそれぞれ橋絡する２本の補強片２１ｅ，２１ｆからなり、後端片２１ｃより前端片２１ｄの方が長い台形状になっている。
その固定枠２１の後端片２１ｃに透孔２１ｇが設けられ、その後端片２１ｃに近い方の補強片２１ｅにも図示していない透孔が設けられている。
【００２１】
そして、図１に示すように、後端片２１ｃの透孔２１ｇに挿入した止めねじ１８を係止具支持金具１３のねじ孔１３ａにねじ込んで螺着するとともに、補強片２１ｅの透孔に挿入した止めねじ１９をスペーサを挟んでＬ型金具１３の他片（水平片）の長孔１４ａに挿入し、ナット１９ｂで螺着する。そたがって、固定枠２１の後方部が２箇所で根１２の下部に確実に固定される。
【００２２】
そして図２に示すように、この固定枠２１の前方に延びた部分の一対の側片２１ａ，２１ｂ間に櫛歯状係止部材２２の軸部２２ａが回動可能に支持され、多少弾性を有して先細になった金属ロッドによる多数の櫛歯部２２ｂが、その軸部２２ａから固定枠２１の下側で後方に延びるている。この櫛歯状係止部材２２ｂは全体として固定枠２１の下面に対して所定角度まで回動可能であり、櫛歯状に延びた各櫛歯部２２ｂがその回動方向に弾性変形可能であり、それぞれ若干下方に湾曲している。
【００２３】
この係止具２０にはさらに、櫛歯状係止部材２２の軸部２２ａに基部が固着されて自由端部が根１２と髷本体１１との間に形成された空間内に延びるレバー２３と、そのレバー２３を櫛歯状係止部材２２が固定枠２１に当接する方向に回動付勢する付勢部材２４とを設けている。この例では付勢部材２４がＬ字状に曲がった板ばねであるが、コイルばねやトーションばねなどを使用するようにしてもよい。このレバー２３は常時は付勢部材２４の付勢力によって図１に実線で示す位置に押し上げられ、櫛歯状係止部材２２の各櫛歯部２２ｂが固定枠２１に当接している。
【００２４】
このレバー２３に指をかけて付勢部材２４の付勢力に抗して図１に仮想線で示すように押し下げると、櫛歯状係止部材２２の各櫛歯部２２ｂが固定枠２１から離間して、仮想線で示すように下方に回動する。その状態で各櫛歯部２２ｂを、髷以外の部分を地髪で結った髪の頂部に差し込んで指を離せば、櫛歯状係止部材２２が付勢部材２４の付勢力によって固定枠２１に当接する方向に回動し、固定枠２１との間に髪を挟みこんで係止し、髷ユニット１０を髪に確実に係止させることができる。しらがって、髷ユニット１０の着脱時の操作性が大幅に向上する。
【００２５】
この係止具２０の固定枠２１にはさらに、図１および図２にに示すように、その前端片２１ｄの中央部に櫛を保持するための櫛保持部材２５を突設している。この櫛保持部材２５は、櫛の櫛歯間に挿入される板状部２５ａと櫛の両面に沿う抑え部２５ｂ，２５ｃとからなり、手前側の抑え部２５ｃは装飾形状になっている。したがって、図３に仮想線で示すように、この櫛保持部材２５に櫛７を差し込んで確実に保持させることができる。
【００２６】
また、この係止具２０の固定枠２１には、図２に示すようにその前端片２１ｄの両側部から前方に向って互いの間隔を拡げるように延び、各先端部に前差しを差し込ませて保持する環状保持部２６ａを有する前差し保持部材２６を設けている。この例では、各前差し保持部材２６を止めねじ２７によって固定枠２１に回動可能に取り付けており、各前差し保持部材２６の先端部が上下動可能になっているので、前差しの挿着と位置調整が極めて容易である。
【００２７】
係止具２０のこれらの各部の殆どは、ステンレス鋼、真鍮、アルミニウムなどの金属で形成されて、付勢部材２４はバネ材からなる。しかし、十分な強度はある材料であれば、各部材を樹脂などによって成形することも可能であり、それによって一層軽量化することも可能になる。
【００２８】
図３はこのように構成した髷ユニット１０の完成状態を示す側面図である。この実施例では根１２の下部に、櫛歯状の髱抑え部材８を弾性を持って回動可能に設けている。それによって、この髷ユニット１０を髪に装着したとき、その髱抑え部材８によって髱の上部を抑え、髷ユニットの位置がずれるのを防止することができる。
その髱抑え部材８は、例えば図５に示すように、弾性を有する一本の金属線を複数回折り曲げ及び捩って各櫛歯片８１を連続して形成し、その各櫛歯片８１の基部を一本のロッド８２に固定し、そのロッドをゴム紐８３によって図３に示すように中差し係止部材１５に引っ掛けて根の下部に取り付けることができる。
【００２９】
そのため、常時はゴム紐８３の付勢力によって髱抑え部材９が図３に実線で示す前側に回動しているが、髷ユニット１０を髪に装着する際には、指で軽く引いて同図に仮想線で示すように後方へ回動させることができる。
なお、図３に示す髷ユニット１０では、髷本体１１の根１２の手前側上部で髪を束ねるようにはね元結９を結んでいる。これは、髷を根に結ぶための元結が装飾化したもので、殆ど白い紙縒りの束を用いる。
【００３０】
図６は前差しの一例を示す斜視図である。この前差し４０は、細長いロッド状部材４１の前端部に飾り４２a，４２ｂが取り付けられ、後端部には長孔４３ａを設けた扁平な差込片４３が一体に形成されており、その差込片４３を、図１から図３に示した前差し保持部材２６の環状保持部２６ａに挿入すれば、髷ユニット１０に前差し４０を容易に保持させることができる。その前差し保持部材２６は、髷ユニット１０を髪に装着した状態では、前髪に埋もれて外部からは殆ど見えない。
【００３１】
図７は後差しを一体に設けた中差し（笄ユニット）の一例を後方から見た斜視図である。
この中差し３０は、べっ甲などによる角棒又は角筒状の中差し本体３１を後方から見て右半部３１aと左半部３１ｂとに分割して嵌合可能にし、その両端部付近にそれぞれ上向きの飾り３３と下向きの吊り下げ式の飾り３４を固定している。さらに、その中差し本体３１の中心より左右に少し離れた位置に一対の後差し３６，３６の基部を所要の開き角度で固定して、笄ユニットを構成している。その後差し３６の先端部付近にもそれぞれ飾り３６aが取り付けられている。
【００３２】
この中差し３０の中差し本体３１を左右に分割した状態で、図３に示した髷ユニット１０の髷本体１１と根１２との間に形成される空間５０に挿入して嵌合させた後、その中差し本体３１の中間部を中差し係止部材１５に挿入してそのバネ力によって挟持させれば、この笄ユニトを髷ユニット１０に簡単に装着できる。
【００３３】
図８はこの発明による髷ユニットを使用して女性が日本髪の高島田を結い上げた状態で示す側面図である。高島田は、前髪１と左右の鬢２と後部の髱３と上部の髷によって構成されるが、髷以外の前髪１と鬢２と髱３の部分を地髪で結った髪の上部に、この発明による髷ユニット１０を図１および図２に示した係止具２０の固定枠２１と櫛歯状係止部材２２とによよって髪に係止させて、確実に装着することができ、その髷本体１１が髷を構成する。それによって美しい高島田の日本髪が容易に完成する。
【００３４】
この髷ユニット１０の根１２の後ろ側には根掛け５を巻き付けてゴム紐で止めている。その根掛け５は、いずれも硬い赤い布片に白い布片を重ねて作られ、後部の中央から横に延びる飾り結び５ａを設けている。この図では、櫛保持部材２５に櫛７を差し込んで保持させている。
また、前差し保持部材２６の環状保持部２６ａが見えているが、実際には前差し４０を挿着した後、前髪１に隠して殆ど見えなくすることができる。しかし、念のため環状保持部２６ａは黒くしている。
【００３５】
図９は髷ユニット１０を使用して結い上げた高島田に、櫛７、前差し４０、中差し３０、後差し３６などの笄類を装着した状態を示す正面斜視図である。前髪１には前髪飾り６を結んでいる。
このように、この発明による髷ユニット１０を使用すれば、日本髪の髷部以外の部分を地髪で結った後、この髷ユニット１０を装着することによって、重量感や違和感がなく、生え際も自然な美しい日本髪を安価に実現することができる。
【００３６】
なお、この発明により髷ユニットは上述した実施例に限定されるものではない。例えば、髷本体を根と一体に樹脂によって成形し、少なくともその外表面から所定深さまではウレタン樹等の成形後に柔軟性を有する材料で髪の櫛目まで一体に成形により形成し、その表面を頭髪材と同等な色に着色して構成てもよい。それによれば、さらに安価に簡便な髷ユニットを提供することができる。
【００３７】
また、この髷ユニットの係止具の構成を簡略化して、係止具が少なくとも根の下部に固定されて前方へ延びる固定枠と、その固定枠の下側に後方に傾斜して設けた櫛歯状係止部材とを有するようにしただけでも、その固定枠と櫛歯状係止部材とにって髪に係止することが可能である。さらに、櫛歯状係止部材が固定枠の下面に対して所定角度まで回動可能であり、櫛歯状に延びた各部がその回動方向に弾性変形可能であると、髷ユニットの装着が容易になる。
【００３８】
さらに、この発明による髷ユニットは、高島田用以外にもその髷本体と根に相当する支持部の形状などを変更すれば、各種の日本髪にも適用できる。例えば、つぶし島田、銀杏返し、桃割、丸髷、天神、三つ輪、島田くずし、伊達兵庫など、各種の髪型用の髷ユニットも作製可能である。
【産業上の利用可能性】
【００３９】
この発明は、この発明による髷ユニットを使用すれば、ある程度充分な地髪を持っている女性の日本髪を容易に結い上げることができ、しかも日本髪かつらを着用したときのような重量感や違和感がなく、生え際も自然な美しい日本髪となり、且つ安価である。
したがって、和装花嫁の日本髪に最適であるが、それ以外にも写真撮影だけのための日本髪や、趣味の日本髪、あるいは時代劇女優の日本髪など、広範囲利用することができる。
【図面の簡単な説明】
【００４０】
【図１】この発明による日本髪用の髷ユニットの一実施例の髷本体に頭髪材を被着する前の状態を根の下部だけを断面にして示す側面図である。
【図２】図１における係止具を下方から見た斜視図である。
【図３】図１に示した髷ユニットの完成状態を示す側面図である。
【図４】図１に示した根の前側にL型金具の一片が固着された状態を示す底面図である。
【図５】図３に示した櫛歯状の髱抑え部材の後方から見た斜視図である。
【図６】前差しの一例を示す斜視図である。
【図７】後差しを一体に設けた中差し（笄ユニット）の一例を示す斜視図である。
【図８】この発明による髷ユニットを使用して女性が日本髪の高島田を結い上げた状態で示す側面図である。
【図９】同じくその結い上げた高島田に笄類を装着した状態を示す正面斜視図である。
【符号の説明】
【００４１】
１０：髷ユニット    １１：髷本体    １２：根（支持部）    ２０：係止具
２１：固定枠    ２２：櫛歯状係止部材    ２３：レバー    ２４：付勢部材
【図１】
2009215675.tif 000003
【図２】
2009215675.tif 000004
【図３】
2009215675.tif 000005
【図４】
2009215675.tif 000006
【図５】
2009215675.tif 000007
【図６】
2009215675.tif 000008
【図７】
2009215675.tif 000009
【図８】
2009215675.tif 000010
【図９】
2009215675.tif 000011
【手続補正書】
【提出日】平成20年3月21日(2008.3.21)
【手続補正１】
【補正対象書類名】特許請求の範囲
【補正対象項目名】請求項１１
【補正方法】変更
【補正の内容】
【請求項１１】
請求項２、４、５のいずれか一項に記載の髷ユニットにおいて、
前記根の前側にＬ型金具の一片が、中差しを係止する中差し係止部材と共に固着され、該Ｌ型金具の前記一片の下端から前方へ折れ曲った他片に、前記係止具の固定枠が固着されたことを特徴とする髷ユニット。
【手続補正２】
【補正対象書類名】特許請求の範囲
【補正対象項目名】請求項１３
【補正方法】変更
【補正の内容】
【請求項１３】
前記櫛歯状の髱抑え部材は、弾性を有する一本の金属線を複数回折り曲げ及び捩って各櫛歯片が連続して形成され、その各櫛歯片の基部が一本のロッドに固定され、該ロッドがゴム紐によって前記根の下部に取り付けられたことを特徴とする請求項１２に記載の髷ユニット。
【手続補正３】
【補正対象書類名】明細書
【補正対象項目名】全文
【補正方法】変更
【補正の内容】
【発明の詳細な説明】
【技術分野】
【０００１】
この発明は、結婚式における花嫁などが、日本髪の髷部以外の部分を地髪で結った後、髷だけを装着することによって、文金高島田のような美しい日本髪を容易に完成できるようにするための髷ユニットに関する。
【背景技術】
【０００２】
従来、和装の花嫁などが日本髪にする場合は、本人の地髪で結いあげるか、日本髪かつらを装着することになる。地髪で結いあげるには、長くて豊かな髪が必要であるが、普段は洋装をしている現代では日本髪を結える程の豊かな髪を持っている女性は少ないし、時間的な制約もあるため、和装花嫁の殆どが日本髪かつらをを使用するようになっている。
【０００３】
日本髪かつらは、地髪で結いあげる日本髪と同様に種々の髪型があるが、高島田が最も一般的である。その高島田の日本髪かつらとしては、例えば特許文献１に記載されているように、頭部に沿う形状に形成した台枠（かつら枠）に、前髪（まえがみ）、左右の鬢（びん）、後部上方の髷（まげ）、その下から襟首近くまで垂れ下がる髱（たぼ）等を取付けて構成され、着用者の頭部に装着しやすいように作られている。髷はその内部の髷パットを一体とする根によって台金上に支持されている。
【０００４】
そして、このような日本髪かつらを使用する場合にも、地髪で日本髪を結った場合と同様に種々の髪飾りや笄類を装着して美しく飾るのが通例である。
その一つとして、髷と根によって形成される空間に細長い中差しを通して、その中間部を根の前面に固着して装着し、その中差しの両端部に飾り部材を取付ける。その他に、前差しや後差し等も装着するが、それらを総称して笄(こうがい)ともいう。前髪の後部の髷の直前には大きな飾り櫛を差す。
【特許文献１】特公平７−９１６８２号公報
【発明の開示】
【発明が解決しようとする課題】
【０００５】
しかしながら、このような従来の日本髪かつらは、上述したようにかつら枠に髱、鬢、前髪、髷に対応させて分け取りした髪をそれぞれ取り付け、それを熟練した結髪師が形の美しい日本髪になるように手作業で結いあげていたので、かつらとして完成させるまでには大変な労力を要し、コスト的にも高価なものになってしまうということがあった。
また、最近の日本髪かつらはかなり軽量化されてはいるが、笄類なども装着すると全体としてはかなり重く感じられることになる。さらに、金属性の台枠をかぶることになるので、着用者の頭の形状に完全にフィットさせるのが難しく、多少違和感が生じることもある。さらにまた、前髪と左右の鬢の生え際が、地毛ではないのでよく見ると若干不自然に感じられるという課題もある。
【０００６】
この発明は、これらの課題を解決するためになされたものであり、ある程度充分な地髪を持っている花嫁などの日本髪希望者には、日本髪の髷部以外の部分を地髪で結った後、髷だけを装着することによって、重量感や違和感がなく、生え際も自然な美しい日本髪を安価に実現できるようにすることを目的とする。
【課題を解決するための手段】
【０００７】
この発明は上記の目的を達成するため、日本髪の髷以外の部分を地髪で結った髪に装着する髷ユニットであって、髷の主体をなす頭髪状の髷本体と、その髷本体を支持する剛性のある支持部と、その支持部の下部に固定され、地髪を係止してこの髷ユニットを上記髷以外の部分を地髪で結った髪上に係止させる係止具とを備えており、その係止具は、上記根の下部に固定されて前方へ延びる固定枠と、その固定枠の下側に設けられた櫛歯状係止部材とを有する。
【０００８】
高島田用の髷ユニットの場合は、上記支持部が髪を柱状に束ねた形状で剛性のある根であり、上記髷本体が、上記根の下部から前方に延びた髪束が湾曲して立ち上って後方へ折り返し、その後端部が上記根の上部に保持された形状の高島田用の髷本体である。
上記櫛歯状係止部材が、上記固定枠の下面に対して所定角度まで回動可能であり、櫛歯状に延びた各部がその回動方向に弾性変形可能であるのが望ましい。
【０００９】
高島田用の髷ユニットの場合は、上記櫛歯状係止部材が、上記固定枠の前部に回動可能に設けられた軸部から前記固定枠の下側で後方に延びる回動部材であり、上記係止具にはさらに、上記軸部に基部が固着されて自由端部が上記根と髷本体との間に形成された空間内に延びるレバーと、そのレバーを上記櫛歯状部材が上記固定枠に当接する方向に付勢する付勢部材とを設けると、着脱時の操作性が大幅に向上する。
【００１０】
上記髷本体は、上記根とその上部に固定された樹脂製の髷パットの外周に沿って頭髪材を接着被覆するとともに、上記髷パットの先端部と上記根の下部との間にも頭髪材を薄く広げて係着しているものでもよい。
あるいは、上記髷本体を上記根と一体に樹脂によって成形し、少なくともその外表面から所定深さまでは成形後に柔軟性を有する材料で髪の櫛目まで一体に成形により形成し、その表面は頭髪材と同等な色に着色したものでもよい。その場合の成形後に柔軟性を有する材料はウレタン樹脂であるとよい。
【００１１】
上記係止具の固定枠が、その前端中央部に櫛を保持するための櫛保持部材を突設していると、飾り櫛を確実に保持できて便利である。
前記係止具の固定枠が、その前端部の両側部に前方に向って互いの間隔を拡げるように延び、各先端部に前差しを差し込ませて保持する環状保持部を有する前差し保持部材を設けていると、前差しを簡単且つ確実に挿着できて便利である。
その場合、各前差し保持部材が、その先端部が上下動可能になるように、上記係止具の固定枠に回動可能に取り付けられていると、前差しの挿着と位置調整は一層容易になる。
【００１２】
上記根の前側にＬ型金具の一片が、中差しを係止する中差し係止部材と共に固着され、そのＬ型金具の上記一片の下端から前方へ折れ曲った他片に、上記係止具の固定枠が固着されていると、固定枠が確実に固定されるとともに、中差しの着脱は容易になる。
【００１３】
上記根の下部に櫛歯状の髱抑え部材が弾性を持って回動可能に設けられていると、その髱抑え部材によって髱の上部を抑え、髷ユニットの位置がずれるのを防止できる。
その櫛歯状の髱抑え部材は、弾性を有する一本の金属線を複数回折り曲げ及び捩って各櫛歯片を連続して形成し、その各櫛歯片の基部を一本のロッドに固定し、そのロッドをゴム紐によって上記根の下部に取り付けるようにすることができる。
【発明の効果】
【００１４】
この発明による髷ユニットを使用すれば、ある程度充分な地髪を持っている花嫁などの日本髪希望者は、日本髪の髷部以外の部分を地髪で結った後、この髷ユニットを装着することによって、重量感や違和感がなく、生え際も自然な美しい日本髪を安価に実現することができる。
【発明を実施するための最良の形態】
【００１５】
以下、この発明を実施するための最良の形態を図面に基づいて説明する。
図１乃至図図５はこの発明による日本髪用の髷ユニットの一実施例に関する図であり、図１は、その髷ユニットの髷本体に頭髪材を被着する前の状態を根の下部だけを断面にして示す側面図であり、図２は係止具を下方から見た斜視図である。図３は髷ユニットの完成状態を示す側面図、図４は根の前側にＬ型金具の一片が固着された状態を示す底面図、図５は櫛歯状の髱抑え部材の後方から見た斜視図である。
【００１６】
この実施例の髷ユニット１０は、高島田の髷以外の部分を地髪で結った髪に装着する髷ユニットであって、図１および図３に示すように、髷の主体をなす頭髪状の髷本体１１と、その髷本体１１を支持する剛性のある支持部である根１２と、その根１２の下部に固定され、地髪を係止してこの髷ユニットを上記髷以外の部分を地髪で結った髪上に係止させる係止具２０とを備えている。その係止具２０は、根１２の下部に固定されて前方へ延びる固定枠２１と、その固定枠２１の下側に設けられた櫛歯状係止部材２２とを有する。
【００１７】
その支持部である根１２は、図４に示すように前面側が平坦になった剛性のある樹脂製の筒状体１２aの内部に発砲スチロール１２ｂが充填され、外周面には図３に示すように頭髪材１７が上下方向にほぼ整列して糊で接着被覆されている。それによって、髪を柱状に束ねた形状をなし剛性を有している。
さらに、この根１２の筒状体１２a内の下部には帯状の金属片の両端部が上方にほぼ直角に折り曲げられた係止具支持金具１３が、図４に示すように両側部間に橋状に固定されており、その中央部に雌ねじが形成されたねじ孔１３aが設けられている。
【００１８】
また、この根１２の前側の面に、図１に示すＬ型金具１４の一片（垂直片）が、中差しを係止する中差し係止部材１５と共に固着され、そのＬ型金具１４の一片の下端から前方へ折れ曲った他片（水平片）に、図４に示すように前後方向に長い長孔１４ａが形成されている。中差し係止部材１５は、バネ性を有する金属片を折り曲げて作られており、Ｕ字状に開口した部分に中差しを挿入して挟持させる。したがって中差しの着脱が容易である。
【００１９】
髷本体１１は図３に示すように、根１２の下部から前方に延びた髪束が湾曲（前側に膨出）して立ち上って後方へ折り返し、その後端部（再び前方へ少し折り返したような形状になっている）が根１２の上部に保持された形状の高島田用の髷本体である。
この実施例の髷本体１１は、図１に示す根１２とその上部に固定された樹脂製の髷パット１６の外周に沿って、図３に示すように頭髪材を糊で接着被覆するとともに、髷パット１６の図１に仮想線で示す先端部と根１２の下部との間にも頭髪材１７を薄く扇型に広げて係着している。この髷本体１１は前側に向かって幅が広くなり、前側下部（髷パット１６の先端部）は、正面から見ると幅方向の中央部が上方に湾曲したアーチ状になっている。
頭髪材１７は人の長い髪を切ったものが自然であるが、近年では量産性と耐久性および清潔性などの点で合成繊維等から作られる人造頭髪材を主に使用する。
【００２０】
係止具２０の固定枠２１は図２に示すように、一対の側片２１ａ，２１ｂと、その後端部間に固定された後端片２１ｃと、前端部間に固定された前端片２１ｄと、中間の２箇所をそれぞれ橋絡する２本の補強片２１ｅ，２１ｆからなり、後端片２１ｃより前端片２１ｄの方が長い台形状になっている。
その固定枠２１の後端片２１ｃに透孔２１ｇが設けられ、その後端片２１ｃに近い方の補強片２１ｅにも図示していない透孔が設けられている。
【００２１】
そして、図１に示すように、後端片２１ｃの透孔２１ｇに挿入した止めねじ１８を係止具支持金具１３のねじ孔１３ａにねじ込んで螺着するとともに、補強片２１ｅの透孔に挿入した止めねじ１９ａをスペーサを挟んでＬ型金具１３の他片（水平片）の長孔１４ａに挿入し、ナット１９ｂで螺着する。したがって、固定枠２１の後方部が２箇所で根１２の下部に確実に固定される。
【００２２】
そして図２に示すように、この固定枠２１の前方に延びた部分の一対の側片２１ａ，２１ｂ間に櫛歯状係止部材２２の軸部２２ａが回動可能に支持され、多少弾性を有して先細になった金属ロッドによる多数の櫛歯部２２ｂが、その軸部２２ａから固定枠２１の下側で後方に延びている。この櫛歯状係止部材２２ｂは全体として固定枠２１の下面に対して所定角度まで回動可能であり、櫛歯状に延びた各櫛歯部２２ｂがその回動方向に弾性変形可能であり、それぞれ若干下方に湾曲している。
【００２３】
この係止具２０にはさらに、櫛歯状係止部材２２の軸部２２ａに基部が固着されて自由端部が根１２と髷本体１１との間に形成された空間内に延びるレバー２３と、そのレバー２３を櫛歯状係止部材２２が固定枠２１に当接する方向に回動付勢する付勢部材２４とを設けている。この例では付勢部材２４がＬ字状に曲がった板ばねであるが、コイルばねやトーションばねなどを使用するようにしてもよい。このレバー２３は常時は付勢部材２４の付勢力によって図１に実線で示す位置に押し上げられ、櫛歯状係止部材２２の各櫛歯部２２ｂが固定枠２１に当接している。
【００２４】
このレバー２３に指をかけて付勢部材２４の付勢力に抗して図１に仮想線で示すように押し下げると、櫛歯状係止部材２２の各櫛歯部２２ｂが固定枠２１から離間して、仮想線で示すように下方に回動する。その状態で各櫛歯部２２ｂを、髷以外の部分を地髪で結った髪の頂部に差し込んで指を離せば、櫛歯状係止部材２２が付勢部材２４の付勢力によって固定枠２１に当接する方向に回動し、固定枠２１との間に髪を挟みこんで係止し、髷ユニット１０を髪に確実に係止させることができる。したがって、髷ユニット１０の着脱時の操作性が大幅に向上する。
【００２５】
この係止具２０の固定枠２１にはさらに、図１および図２に示すように、その前端片２１ｄの中央部に櫛を保持するための櫛保持部材２５を突設している。この櫛保持部材２５は、櫛の櫛歯間に挿入される板状部２５ａと櫛の両面に沿う抑え部２５ｂ，２５ｃとからなり、手前側の抑え部２５ｃは装飾形状になっている。したがって、図３に仮想線で示すように、この櫛保持部材２５に櫛７を差し込んで確実に保持させることができる。
【００２６】
また、この係止具２０の固定枠２１には、図２に示すようにその前端片２１ｄの両側部から前方に向って互いの間隔を拡げるように延び、各先端部に前差しを差し込ませて保持する環状保持部２６ａを有する前差し保持部材２６を設けている。この例では、各前差し保持部材２６を止めねじ２７によって固定枠２１に回動可能に取り付けており、各前差し保持部材２６の先端部が上下動可能になっているので、前差しの挿着と位置調整が極めて容易である。
【００２７】
係止具２０のこれらの各部の殆どは、ステンレス鋼、真鍮、アルミニウムなどの金属で形成されて、付勢部材２４はバネ材からなる。しかし、十分な強度はある材料であれば、各部材を樹脂などによって成形することも可能であり、それによって一層軽量化することも可能になる。
【００２８】
図３はこのように構成した髷ユニット１０の完成状態を示す側面図である。この実施例では根１２の下部に、櫛歯状の髱抑え部材８を弾性を持って回動可能に設けている。それによって、この髷ユニット１０を髪に装着したとき、その髱抑え部材８によって髱の上部を抑え、髷ユニットの位置がずれるのを防止することができる。
その髱抑え部材８は、例えば図５に示すように、弾性を有する一本の金属線を複数回折り曲げ及び捩って各櫛歯片８１を連続して形成し、その各櫛歯片８１の基部を一本のロッド８２に固定し、そのロッドをゴム紐８３によって図３に示すように中差し係止部材１５に引っ掛けて根の下部に取り付けることができる。
【００２９】
そのため、常時はゴム紐８３の付勢力によって髱抑え部材９が図３に実線で示す前側に回動しているが、髷ユニット１０を髪に装着する際には、指で軽く引いて同図に仮想線で示すように後方へ回動させることができる。
なお、図３に示す髷ユニット１０では、髷本体１１の根１２の手前側上部で髪を束ねるようにはね元結９を結んでいる。これは、髷を根に結ぶための元結が装飾化したもので、殆ど白い紙縒りの束を用いる。
【００３０】
図６は前差しの一例を示す斜視図である。この前差し４０は、細長いロッド状部材４１の前端部に飾り４２a，４２ｂが取り付けられ、後端部には長孔４３ａを設けた扁平な差込片４３が一体に形成されており、その差込片４３を、図１から図３に示した前差し保持部材２６の環状保持部２６ａに挿入すれば、髷ユニット１０に前差し４０を容易に保持させることができる。その前差し保持部材２６は、髷ユニット１０を髪に装着した状態では、前髪に埋もれて外部からは殆ど見えない。
【００３１】
図７は後差しを一体に設けた中差し（笄ユニット）の一例を後方から見た斜視図である。
この中差し３０は、べっ甲などによる角棒又は角筒状の中差し本体３１を後方から見て右半部３１aと左半部３１ｂとに分割して嵌合可能にし、その両端部付近にそれぞれ上向きの飾り３３と下向きの吊り下げ式の飾り３４を固定している。さらに、その中差し本体３１の中心より左右に少し離れた位置に一対の後差し３６，３６の基部を所要の開き角度で固定して、笄ユニットを構成している。その後差し３６の先端部付近にもそれぞれ飾り３６aが取り付けられている。
【００３２】
この中差し３０の中差し本体３１を左右に分割した状態で、図８に示した髷ユニット１０の髷本体１１と根１２との間に形成される空間５０に挿入して嵌合させた後、その中差し本体３１の中間部を中差し係止部材１５に挿入してそのバネ力によって挟持させれば、この笄ユニットを髷ユニット１０に簡単に装着できる。
【００３３】
図８はこの発明による髷ユニットを使用して女性が日本髪の高島田を結い上げた状態で示す側面図である。高島田は、前髪１と左右の鬢２と後部の髱３と上部の髷によって構成されるが、髷以外の前髪１と鬢２と髱３の部分を地髪で結った髪の上部に、この発明による髷ユニット１０を図１および図２に示した係止具２０の固定枠２１と櫛歯状係止部材２２とによって髪に係止させて、確実に装着することができ、その髷本体１１が髷を構成する。それによって美しい高島田の日本髪が容易に完成する。
【００３４】
この髷ユニット１０の根１２の後ろ側には根掛け５を巻き付けてゴム紐で止めている。その根掛け５は、いずれも硬い赤い布片に白い布片を重ねて作られ、後部の中央から横に延びる飾り結び５ａを設けている。この図では、櫛保持部材２５に櫛７を差し込んで保持させている。
また、前差し保持部材２６の環状保持部２６ａが見えているが、実際には前差し４０を挿着した後、前髪１に隠して殆ど見えなくすることができる。しかし、念のため環状保持部２６ａは黒くしている。
【００３５】
図９は髷ユニット１０を使用して結い上げた高島田に、櫛７、前差し４０、中差し３０、後差し３６などの笄類を装着した状態を示す正面斜視図である。前髪１には前髪飾り６を結んでいる。
このように、この発明による髷ユニット１０を使用すれば、日本髪の髷部以外の部分を地髪で結った後、この髷ユニット１０を装着することによって、重量感や違和感がなく、生え際も自然な美しい日本髪を安価に実現することができる。
【００３６】
なお、この発明により髷ユニットは上述した実施例に限定されるものではない。例えば、髷本体を根と一体に樹脂によって成形し、少なくともその外表面から所定深さまではウレタン樹脂等の成形後に柔軟性を有する材料で髪の櫛目まで一体に成形により形成し、その表面を頭髪材と同等な色に着色して構成してもよい。それによれば、さらに安価に簡便な髷ユニットを提供することができる。
【００３７】
また、この髷ユニットの係止具の構成を簡略化して、係止具が少なくとも根の下部に固定されて前方へ延びる固定枠と、その固定枠の下側に後方に傾斜して設けた櫛歯状係止部材とを有するようにしただけでも、その固定枠と櫛歯状係止部材とによって髪に係止することが可能である。さらに、櫛歯状係止部材が固定枠の下面に対して所定角度まで回動可能であり、櫛歯状に延びた各部がその回動方向に弾性変形可能であると、髷ユニットの装着が容易になる。
【００３８】
さらに、この発明による髷ユニットは、高島田用以外にもその髷本体と根に相当する支持部の形状などを変更すれば、各種の日本髪にも適用できる。例えば、つぶし島田、銀杏返し、桃割、丸髷、天神、三つ輪、島田くずし、伊達兵庫など、各種の髪型用の髷ユニットも作製可能である。
【産業上の利用可能性】
【００３９】
この発明は、この発明による髷ユニットを使用すれば、ある程度充分な地髪を持っている女性の日本髪を容易に結い上げることができ、しかも日本髪かつらを着用したときのような重量感や違和感がなく、生え際も自然な美しい日本髪となり、且つ安価である。
したがって、和装花嫁の日本髪に最適であるが、それ以外にも写真撮影だけのための日本髪や、趣味の日本髪、あるいは時代劇女優の日本髪など、広範囲利用することができる。
【図面の簡単な説明】
【００４０】
【図１】この発明による日本髪用の髷ユニットの一実施例の髷本体に頭髪材を被着する前の状態を根の下部だけを断面にして示す側面図である。
【図２】図１における係止具を下方から見た斜視図である。
【図３】図１に示した髷ユニットの完成状態を示す側面図である。
【図４】図１に示した根の前側にＬ型金具の一片が固着された状態を示す底面図である。
【図５】図３に示した櫛歯状の髱抑え部材の後方から見た斜視図である。
【図６】前差しの一例を示す斜視図である。
【図７】後差しを一体に設けた中差し（笄ユニット）の一例を示す斜視図である。
【図８】この発明による髷ユニットを使用して女性が日本髪の高島田を結い上げた状態で示す側面図である。
【図９】同じくその結い上げた高島田に笄類を装着した状態を示す正面斜視図である。
【符号の説明】
【００４１】
１０：髷ユニット    １１：髷本体    １２：根（支持部）    ２０：係止具
２１：固定枠    ２２：櫛歯状係止部材    ２３：レバー    ２４：付勢部材
【手続補正４】
【補正対象書類名】図面
【補正対象項目名】図７
【補正方法】変更
【補正の内容】
【図７】
2009215675.tif 000012